【手続補正書】
【提出日】平成24年3月26日(2012.3.26)
【手続補正１】
【補正対象書類名】明細書
【補正対象項目名】０００４
【補正方法】変更
【補正の内容】
【０００４】
ここで、スタティック駆動方式でのポリマーネットワーク液晶表示素子の駆動方法を説明する。図６は、スタティック駆動方式でのポリマーネットワーク液晶表示素子の両電極への印加電圧波形を表すタイミングチャートを示す図である。ポリマーネットワーク液晶表示素子の液晶層を挟むように配置された電極の一方をコモン電極、他方をセグメント電極とし、コモン電極駆動波形をＣＯＭ、オン表示時のセグメント電極波形をＳＥＧ  ＯＮ、オフ表示時のセグメント電極波形をＳＥＧ  ＯＦＦで、それぞれ示している。これらの波形ＣＯＭ、ＳＥＧ  ＯＮ、ＳＥＧ  ＯＦＦはいずれも、最高値が電圧Ｖｓｅｇで最低値が電圧０Ｖ（グランドレベル）の方形波である。
【手続補正２】
【補正対象書類名】明細書
【補正対象項目名】０００９
【補正方法】変更
【補正の内容】
【０００９】
上述のように、ポリマーネットワーク液晶表示素子においても、印加電圧のレベル切り替えを行なって交流駆動する必要があるので、ポリマーネットワーク液晶駆動装置は、コモン電極駆動波形ＣＯＭを交流化周期で第１のレベルから第２のレベルへ、又は、前記第２のレベルから前記第１のレベルへ、切り替えを行ない、セグメント電極波形ＳＥＧは、表示内容が拡散状態（ＳＥＧ  ＯＦＦ状態）か透明状態（ＳＥＧ  ＯＮ状態）かで、コモン電極駆動波形ＣＯＭ信号に対して同相か逆相かをコモン電極駆動波形ＣＯＭと同じタイミングで切り替えて、前記第１のレベルから前記第２のレベルへ、又は、前記第２のレベルから前記第１のレベルへ切り替え出力するようになっている。
【手続補正３】
【補正対象書類名】明細書
【補正対象項目名】００１１
【補正方法】変更
【補正の内容】
【００１１】
一方、ポリマーネットワーク液晶駆動装置をＬＳＩ化して液晶パネルガラス上にＣＯＧ（Chip On Glass）実装したポリマーネットワーク液晶パネルを製造する場合、限られたスペースに多数の配線パターンを配置しなければならない。このポリマーネットワーク液晶パネルにおいても、搭載されるポリマーネットワーク液晶表示素子のセグメント数の増加と狭額縁化とが望まれている。そのため、配線パターンが細線化すると共に、隣接配線パターン間の間隔も非常に小さなものとなり、配線抵抗が大きくなる。
【手続補正４】
【補正対象書類名】明細書
【補正対象項目名】００１２
【補正方法】変更
【補正の内容】
【００１２】
このように大きな配線抵抗を持つ配線パターンに前述のように切り替え時に大電流が流れることで電圧降下が大きなものとなって、ポリマーネットワーク液晶表示素子に十分な駆動電圧を印加することができず、所望の表示状態が得られなくなるという問題が発生してしまう。そのため、ポリマーネットワーク液晶駆動装置を液晶パネルガラス上にＣＯＧ実装したポリマーネットワーク液晶パネルの狭額縁化が、望まれているにもかかわらず、達成することが難しかった。
【手続補正５】
【補正対象書類名】明細書
【補正対象項目名】００１４
【補正方法】変更
【補正の内容】
【００１４】
前記目的を果たすため、本発明のポリマーネットワーク液晶駆動装置の一態様は、第１のレベルと第２のレベルとで所定周期で切り替わる信号を、複数個のポリマーネットワーク液晶表示素子のコモン電極及びそれぞれのセグメント電極に入力してスタティック駆動する際に、前記複数個のポリマーネットワーク液晶表示素子を、２グループ以上にグループ化する手段と、一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なう信号を、前記複数個のポリマーネットワーク液晶表示素子の各セグメント電極に出力する出力手段と、を具備する、ことを特徴とする。
また、前記目的を果たすため、本発明のポリマーネットワーク液晶駆動方法の一態様は、第１のレベルと第２のレベルとで所定周期で切り替わる信号を、複数個のポリマーネットワーク液晶表示素子のコモン電極及びそれぞれのセグメント電極に入力してスタティック駆動する際に、前記複数個のポリマーネットワーク液晶表示素子を、２グループ以上にグループ化するステップと、前記複数個のポリマーネットワーク液晶表示素子の前記各セグメント電極に出力する信号として、一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なうタイミング制御ステップと、を有する、ことを特徴とする。
また、前記目的を果たすため、本発明のポリマーネットワーク液晶パネルの一態様は、透明基板と、前記透明基板上に形成された複数個のポリマーネットワーク液晶表示素子と、  第１のレベルと第２のレベルとで所定周期で切り替わる信号を、複数個のポリマーネットワーク液晶表示素子のコモン電極及びそれぞれのセグメント電極に入力してスタティック駆動するポリマーネットワーク液晶駆動装置と、を具備し、前記ポリマーネットワーク液晶駆動装置は、前記複数個のポリマーネットワーク液晶表示素子を、２グループ以上にグループ化し、一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なう信号を、前記複数個のポリマーネットワーク液晶表示素子の前記各セグメント電極に出力する、ことを特徴とする。
【手続補正６】
【補正対象書類名】明細書
【補正対象項目名】００１６
【補正方法】変更
【補正の内容】
【００１６】
【図１】図１（Ａ）は、本発明の第１実施形態に係るポリマーネットワーク液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。
【図２】図２（Ａ）は、ポリマーネットワーク液晶表示素子の電圧非印加時の動作を説明するための図であり、図２（Ｂ）は同じく電圧印加時の動作を説明するための図である。
【図３】図３（Ａ）は、本発明の第１実施形態に係るポリマーネットワーク液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ポリマーネットワーク液晶パネルの構成例を説明するための図である。
【図４Ａ】図４Ａ（Ａ）は、本発明の第２実施形態に係るポリマーネットワーク液晶駆動装置及び駆動方法におけるオン表示時の印加電圧波形を表すタイミングチャートを示す図であり、図４Ａ（Ｂ）は、図４Ａ（Ａ）の部分拡大図である。
【図４Ｂ】図４Ｂ（Ａ）は、第２実施形態に係るポリマーネットワーク液晶駆動装置及び駆動方法におけるオフ表示時の印加電圧波形を表すタイミングチャートを示す図であり、図４Ｂ（Ｂ）は、図４Ｂ（Ａ）の部分拡大図である。
【図５】図５（Ａ）は、本発明の第３実施形態に係るポリマーネットワーク液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【図６】図６は、従来のポリマーネットワーク液晶駆動装置及び駆動方法における印加電圧波形を表すタイミングチャートを示す図である。
【手続補正７】
【補正対象書類名】明細書
【補正対象項目名】００１７
【補正方法】変更
【補正の内容】
【００１７】
［第１実施形態］
以下、本発明の第１実施形態について図１乃至図３を参照して説明する。ここで、図１（Ａ）は、本第１実施形態に係るポリマーネットワーク（以下、ＰＮと略記する）液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。また、図２（Ａ）は、ＰＮ液晶表示素子の電圧非印加時の動作を説明するための図であり、図２（Ｂ）は同じく電圧印加時の動作を説明するための図である。また、図３（Ａ）は、本第１実施形態に係るＰＮ液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ＰＮ液晶パネルの構成例を説明するための図である。
【手続補正８】
【補正対象書類名】明細書
【補正対象項目名】００１９
【補正方法】変更
【補正の内容】
【００１９】
このような構造において、図２（Ａ）に示すようにコモン電極２とセグメント電極４との間に電場が形成されていない状態では、ＰＮ５中に分散された液晶分子６は、任意の方向を向いている。この場合、ＰＮ５の屈折率と液晶分子６の平均屈折率が異なるようにすると、光源側透明基板１側から入射した入射光７は、散乱されながら液晶層を透過し、その散乱光８は、観察側透明基板３から射出される。従って、液晶分子６が任意の方向を向いた液晶層に入射した光は、散乱されて観察側透明基板３側から射出されるため、観察側透明基板３側からは白濁した光として観察される。
【手続補正９】
【補正対象書類名】明細書
【補正対象項目名】００３５
【補正方法】変更
【補正の内容】
【００３５】
そして、本第１実施形態においては、このＰＮ液晶駆動装置としての駆動ドライバ２３は、前記コモン電極に出力する信号として、前記第１のレベルから前記第２のレベルへ又は前記第２のレベルから前記第１のレベルへ切り替えるレベル切り替えの際に、前記第１のレベル又は第２のレベルの信号状態から、前記第１のレベルと前記第２のレベルとの中間レベルの信号状態を所定時間出力した後、前記第２のレベル又は第１のレベルの信号状態となる信号を出力し、前記セグメント電極に出力する信号の前記レベルの切り替えを、前記コモン電極に出力する信号が前記中間レベルの信号状態であるときに行なう。
【手続補正１０】
【補正対象書類名】明細書
【補正対象項目名】００３７
【補正方法】変更
【補正の内容】
【００３７】
本第１実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１１】
【補正対象書類名】明細書
【補正対象項目名】００４６
【補正方法】変更
【補正の内容】
【００４６】
そして、本第２実施形態においては、このＰＮ液晶駆動装置としての駆動ドライバ２３は、前記コモン電極に出力する信号として、前記第１のレベルから前記第２のレベルへ又は前記第２のレベルから前記第１のレベルへ切り替えるレベル切り替えの際に、前記第１のレベル又は第２のレベルの信号状態から、前記第１のレベルと前記第２のレベルとの中間レベルの信号状態を所定時間出力した後、前記第２のレベル又は第１のレベルの信号状態となる信号を出力し、前記セグメント電極に出力する信号の前記レベルの切り替えを、前記コモン電極に出力する信号が前記中間レベルの信号状態であるときに行なうと共に、更に、前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、の少なくとも一方を行なう。
【手続補正１２】
【補正対象書類名】明細書
【補正対象項目名】００４８
【補正方法】変更
【補正の内容】
【００４８】
本第２実施形態のようなＰＮ液晶駆動方法を採ることにより、スタティック駆動方式における駆動波形のレベル切り替わり時に流れる電流を小さく抑えられると共に電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１３】
【補正対象書類名】明細書
【補正対象項目名】００５４
【補正方法】変更
【補正の内容】
【００５４】
そして、前記所定周期が経過して前記コモン電極駆動波形ＣＯＭの次のレベル切り替わりのタイミングになったならば、まず、前記コモン電極駆動波形ＣＯＭを、前記第２のレベルである電圧Ｖｓｅｇから前記第１のレベルである０Ｖに切り替える。その後、セグメント電極波形ＳＥＧ−Ａを、前記第１のレベルである０Ｖから前記第２のレベルである電圧Ｖｓｅｇに切り替える。このとき、セグメント電極波形ＳＥＧ−Ｂ，ＳＥＧ−Ｃは前記第１のレベルである０Ｖのままとする。次に、セグメント電極波形ＳＥＧ−Ｂを前記第１のレベルである０Ｖから前記第２のレベルである電圧Ｖｓｅｇに切り替える。このとき、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを前記第１のレベルである０Ｖから前記第２のレベルである電圧Ｖｓｅｇに切り替える。このとき、セグメント電極波形ＳＥＧ−Ａ，ＳＥＧ−Ｂは前記第２のレベルである電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わる。  
以上の極性切り替えを交互に行なう。
【手続補正１４】
【補正対象書類名】明細書
【補正対象項目名】００５５
【補正方法】変更
【補正の内容】
【００５５】
また、オフ表示（拡散状態）時には、図５（Ｂ）に示すように、前記コモン電極駆動波形ＣＯＭを前記第１のレベルである０Ｖから前記第２のレベルである電圧Ｖｓｅｇへ切り替えるレベル切り替わりのタイミングになったならば、まず、前記コモン電極駆動波形ＣＯＭを、前記第１のレベルである０Ｖから前記第２のレベルである電圧Ｖｓｅｇに切り替える。その後、セグメント電極波形ＳＥＧ−Ａを、前記第１のレベルである０Ｖから前記第２のレベルである電圧Ｖｓｅｇに切り替える。このとき、セグメント電極波形ＳＥＧ−Ｂ，ＳＥＧ−Ｃは前記第１のレベルである０Ｖのままとする。次に、セグメント電極波形ＳＥＧ−Ｂを、前記第１のレベルである０Ｖから前記第２のレベルである電圧Ｖｓｅｇに切り替える。このとき、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを、前記第１のレベルである０Ｖから前記第２のレベルである電圧Ｖｓｅｇに切り替える。このとき、セグメント電極波形ＳＥＧ−Ａ，ＳＥＧ−Ｂは前記第２のレベルである電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わる。
【手続補正１５】
【補正対象書類名】明細書
【補正対象項目名】００５９
【補正方法】変更
【補正の内容】
【００５９】
本第３実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１６】
【補正対象書類名】特許請求の範囲
【補正対象項目名】全文
【補正方法】変更
【補正の内容】
【特許請求の範囲】
【請求項１】
第１のレベルと第２のレベルとで所定周期で切り替わる信号を、複数個のポリマーネットワーク液晶表示素子のコモン電極及びそれぞれのセグメント電極に入力してスタティック駆動する際に、前記複数個のポリマーネットワーク液晶表示素子を、２グループ以上にグループ化する手段と、
一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なう信号を、前記複数個のポリマーネットワーク液晶表示素子の各セグメント電極に出力する出力手段と、
を具備する、
ことを特徴とするポリマーネットワーク液晶駆動装置。
【請求項２】
前記出力手段は、
前記コモン電極に出力する信号として、前記第１のレベルから前記第２のレベルへ又は前記第２のレベルから前記第１のレベルへ切り替えるレベル切り替えの際に、前記第１のレベル又は第２のレベルの信号状態から、前記第１のレベルと前記第２のレベルとの中間レベルの信号状態を所定時間出力した後、前記第２のレベル又は第１のレベルの信号状態となる信号を出力し、
前記セグメント電極に出力する信号の前記レベルの切り替えを、前記コモン電極に出力する信号が前記中間レベルの信号状態であるときに行なう、
ことを特徴とする請求項１に記載のポリマーネットワーク液晶駆動装置。
【請求項３】
前記出力手段は、
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なう、
ことを特徴とする請求項２に記載のポリマーネットワーク液晶駆動装置。
【請求項４】
前記複数個のポリマーネットワーク液晶表示素子が形成された透明基板上にＣＯＧ実装されることを特徴とする請求項１乃至３の何れかに記載のポリマーネットワーク液晶駆動装置。
【請求項５】
第１のレベルと第２のレベルとで所定周期で切り替わる信号を、複数個のポリマーネットワーク液晶表示素子のコモン電極及びそれぞれのセグメント電極に入力してスタティック駆動する際に、前記複数個のポリマーネットワーク液晶表示素子を、２グループ以上にグループ化するステップと、
前記複数個のポリマーネットワーク液晶表示素子の前記各セグメント電極に出力する信号として、一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なうタイミング制御ステップと、
を有する、
ことを特徴とするポリマーネットワーク液晶駆動方法。
【請求項６】
前記タイミング制御ステップは、
前記コモン電極に出力する信号として、前記第１のレベルから前記第２のレベルへ又は前記第２のレベルから前記第１のレベルへ切り替えるレベル切り替えの際に、前記第１のレベル又は第２のレベルの信号状態から、前記第１のレベルと前記第２のレベルとの中間レベルの信号状態を所定時間出力した後、前記第２のレベル又は第１のレベルの信号状態となる信号を出力するステップと、
前記セグメント電極に出力する信号の前記レベルの切り替えを、前記コモン電極に出力する信号が前記中間レベルの信号状態であるときに行なうステップと、
を有することを特徴とする請求項５に記載のポリマーネットワーク液晶駆動方法。
【請求項７】
前記タイミング制御ステップは、
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力するステップと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力するステップと、
の少なくとも一方を行なう、
ことを特徴とする請求項６に記載のポリマーネットワーク液晶駆動方法。
【請求項８】
透明基板と、
前記透明基板上に形成された複数個のポリマーネットワーク液晶表示素子と、
第１のレベルと第２のレベルとで所定周期で切り替わる信号を、複数個のポリマーネットワーク液晶表示素子のコモン電極及びそれぞれのセグメント電極に入力してスタティック駆動するポリマーネットワーク液晶駆動装置と、
を具備し、
前記ポリマーネットワーク液晶駆動装置は、前記複数個のポリマーネットワーク液晶表示素子を、２グループ以上にグループ化し、一つのグループに含まれる前記ポリマーネットワーク液晶表示素子の前記セグメント電極へ出力する信号の前記レベルの切り替えと、他のグループに含まれる前記ポリマーネットワーク液晶表示素子の前記セグメント電極へ出力する信号の前記レベルの切り替えと、を互いに重ならないタイミングで行なう信号を、前記複数個のポリマーネットワーク液晶表示素子の前記各セグメント電極に出力する、
ことを特徴とするポリマーネットワーク液晶パネル。
【請求項９】
前記ポリマーネットワーク液晶駆動装置は、
前記コモン電極に出力する信号として、前記第１のレベルから前記第２のレベルへ又は前記第２のレベルから前記第１のレベルへ切り替えるレベル切り替えの際に、前記第１のレベル又は第２のレベルの信号状態から、前記第１のレベルと前記第２のレベルとの中間レベルの信号状態を所定時間出力した後、前記第２のレベル又は第１のレベルの信号状態となる信号を出力し、
前記セグメント電極に出力する信号の前記レベルの切り替えを、前記コモン電極に出力する信号が前記中間レベルの信号状態であるときに行なう、
ことを特徴とする請求項８に記載のポリマーネットワーク液晶パネル。
【請求項１０】
前記ポリマーネットワーク液晶駆動装置は、
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なう、
ことを特徴とする請求項９に記載のポリマーネットワーク液晶パネル。
【請求項１１】
前記ポリマーネットワーク液晶駆動装置は前記透明基板上にＣＯＧ実装されることを特徴とする請求項８乃至１０の何れかに記載のポリマーネットワーク液晶パネル。